(57)【要約】【課題】  後沸きにより高温の温水が供給される可能性のある給湯器から給湯するものでも温度変化の少ない温水のミストを発生できて快適にミストサウナ浴ができるミストサウナ装置の給湯構造を提供する。【解決手段】  浴室外の給湯器１から浴室内のミスト発生器１０のミストノズル１１に給湯管５にて温水を供給すると共に前記浴室内で前記ミストノズル１１から温水のミストを噴霧してミストサウナ浴をするようにしたミストサウナ装置である。これにおいて、前記給湯管５のミスト発生器１０側に温水の温度変化を緩和するバッファタンク１２を配置して前記ミスト発生器１０に一定温度の温水を供給するようにする。【選択図】        図１
2005265311.tif 000002
【特許請求の範囲】
【請求項１】
浴室外の給湯器から浴室内のミスト発生器のミストノズルに給湯管にて温水を供給すると共に前記浴室内で前記ミストノズルから温水のミストを噴霧してミストサウナ浴をするようにしたミストサウナ装置において、前記給湯管のミスト発生器側に温水の温度変化を緩和するバッファタンクを配置して前記ミスト発生器に一定温度の温水を供給するようにしたことを特徴とするミストサウナ装置の給湯構造。  
【請求項２】
前記バッファタンクとしての容量タンクを前記給湯管の途中に挿入配置し、この容量タンク内で給湯器側から送られる温水を混合することにより温度変化を緩和するようにしたことを特徴とする請求項１記載のミストサウナ装置の給湯構造。
【請求項３】
前記バッファタンクとしての貯水タンクを前記給湯管の途中から分岐した分岐管に接続し、前記分岐管にタンク用開閉弁を配置すると共に前記分岐管より下流側で前記給湯管に給湯開閉弁を設け、前記分岐管の近傍で前記給湯管を流れる温水の温度を検出する温度センサーを設けると共に前記温度センサーで検出した温度に応じて前記タンク用開閉弁を開閉制御するようにしたことを特徴とする請求項１記載のミストサウナ装置の給湯構造。
【発明の詳細な説明】
【技術分野】
【０００１】
本発明は、浴室内でミストノズルから温水のミストを噴霧してミストサウナ浴をするミストサウナ装置で温水を給湯する構造に関するものである。
【背景技術】
【０００２】
近年、浴室内でミストサウナ浴を行う場合、浴室内に設置したミスト発生器に温水を供給し、この温水をミスト発生器のミストノズルから噴霧することで浴室内に温水のミストを充満させてミストサウナ浴を行うようになっている。このミスト発生器に温水を供給する場合、浴室の洗い場の湯水混合水栓の手前で給湯管に接続してあり、給湯器から供給される温水をミスト発生器に供給するようにしてある（例えば、特許文献１参照）。
【特許文献１】特開平１０−１８５２２３号公報
【発明の開示】
【発明が解決しようとする課題】
【０００３】
ところで、上記給湯管に温水を供給する給湯器１は一般的には図４のようにバーナ２で加熱される熱交換器３の両端に給水管４と給湯管５を接続してあり、給湯管５に給湯管５を流れる温水の温度を検知する温度センサー６を配置してある。そして給水管４から熱交換器３に水を供給し、熱交換器３でバーナ２の燃焼により加熱された温水が給湯管５にて供給されるようになっている。給湯管５を流れる温水の温度は温度センサー６にて検知されており、温水の温度が所定温度以下になるとバーナ２が燃焼させられ、温水の温度が所定温度以上になるとバーナ２の燃焼が停止させられるようになっている。しかしながら、このように給湯管５を流れる温水の温度を検知してからバーナ２を燃焼させたり、燃焼を停止したりしていると、燃焼を開始するときには給湯管５に低温の温水が供給され、燃焼を停止するときは後沸きで高温の温水が供給される（所謂、冷水サンドイッチ現象と云われる現象）。この現象は特に給湯器１の使用を開始するときに多く、高温の温水と低温の温水が交互に供給される。このような給湯器１から給湯管５にて温水を供給し、浴室内でミスト発生器にてミストを発生すると、温度の高いミストと温度の低いミストが交互に発生して体感が悪く、快適なミストサウナ浴をすることができないという問題がある。
【０００４】
また給湯器１としては図５のようなものもある。これは図４に示すものに加えて給水管４と給湯管５との間にバイパス管７を設けると共にバイパス管７に開閉弁８を設けてある。かかる給湯器１では温度センサー６で温水が所定温度以上になったのが検知されると、開閉弁８が開放されて給水管４から水が供給され、給湯管５に流れる温水に水が混合されるようになっている。このような給湯器１の場合、後沸きにより高温の温水が供給されなくなる。このためこの給湯器１からミスト発生器に温水を供給するようにすると、発生するミストの温度変化が少なくて快適なミストサウナ浴ができる。
【０００５】
図５のような構造の給湯器１が設置されている家庭ではミスト発生器に給湯管５を介して温水を供給するようにするだけで問題なく使用することができるが、図４のような給湯器１しか設置されていない家庭では単にミスト発生器に給湯管５を介して温水を供給するようにするだけでは上記のようにミストの温度が変化するために使用に問題ある。給湯器１を取り替えれば問題がないのであるが、この場合大幅な投資が必要であり、ミストサウナ装置の普及に弊害となる。
【０００６】
本発明は上記の従来の問題点に鑑みて発明したものであって、後沸きにより高温の温水が供給される可能性のある給湯器から給湯するものでも温度変化の少ない温水のミストを発生できて快適にミストサウナ浴ができるミストサウナ装置の給湯構造を提供することを課題とする。
【課題を解決するための手段】
【０００７】
上記課題を解決するために本発明に係るミストサウナ装置の給湯構造は、浴室外の給湯器１から浴室内のミスト発生器１０のミストノズル１１に給湯管５にて温水を供給すると共に前記浴室内で前記ミストノズル１１から温水のミストを噴霧してミストサウナ浴をするようにしたミストサウナ装置において、前記給湯管５のミスト発生器１０側に温水の温度変化を緩和するバッファタンク１２を配置して前記ミスト発生器１０に一定温度の温水を供給するようにしたことを特徴とする。バッファタンク１２で温度変化を緩和することにより、後沸きで高温の温水が供給される可能性のある給湯器１から給湯するものでも温度変化の少ないミストを発生できて快適にミストサウナ浴ができるようになる。また給湯器１を取り換えないでもミスト発生器１０側でバッファタンク１２を設けるだけで対応でき、コストもあまりかからなくてミストサウナ装置の普及に貢献できる。
【０００８】
また前記バッファタンク１２としての容量タンク１２ａを前記給湯管５の途中に挿入配置し、この容量タンク１２ａ内で給湯器１側から送られる温水を混合することにより温度変化を緩和するようにしたことを特徴とすることも好ましい。この場合、容量タンク１２ａ内で給湯管５から供給される温水と容量タンク１２ａ内の温水が混じり合うことで温度変化を緩和することができて温度変化の少ないミストを発生できる。また給湯管５の途中に容量タンク１２ａを挿入して接続するという簡単な構造で温度変化を緩和することができる。
【０００９】
また前記バッファタンク１２としての貯水タンク１２ｂを前記給湯管５の途中から分岐した分岐管１３に接続し、前記分岐管１３にタンク用開閉弁１４を配置すると共に前記分岐管１３より下流側で前記給湯管５に給湯開閉弁１５を設け、前記分岐管１３の近傍で前記給湯管５を流れる温水の温度を検出する温度センサー１６を設けると共に前記温度センサー１６で検出した温度に応じて前記タンク用開閉弁１４を開閉制御するようにしたことを特徴とすることも好ましい。ミストサウナの運転開始時にタンク用開閉弁１４を開き且つ給湯開閉弁１５を閉じた状態で給湯器１内の冷たい残水を貯水タンク１２ｂに溜め、貯水タンク１２ｂに水を溜めた状態でタンク用開閉弁１４を閉じて給湯開閉弁１５を開いてミストを発生するが、給湯管５から給湯される温水の温度を温度センサー１６で検出して検出される温度が高くなったとき、タンク用開閉弁１４を開いて貯水タンク１２ｂから給水して給湯管５を流れる温水に混合することにより温度変化を緩和し、温度変化の少ないミストを発生できる。
【発明の効果】
【００１０】
本発明は叙述の如く構成されているので、バッファタンクで温水の温度変化を緩和することにより、後沸きで高温の温水が供給される可能性のある給湯器から給湯するものでも温度変化の少ない温水のミストを発生できて快適にミストサウナ浴ができるようになるという効果があり、また給湯器を取り換えないでもミスト発生器側でバッファタンクを設けるだけで対応でき、コストもあまりかからなくてミストサウナ装置の普及に貢献できるという効果がある。
【発明を実施するための最良の形態】
【００１１】
以下、本発明を添付図面に示す実施形態に基いて説明する。
【００１２】
浴室内にはミスト発生器１０を配置してあり、ミスト発生器１０のミストノズル１１から温水のミストを噴霧することにより浴室内でミストサウナ浴を行うことができるようになっている。このミスト発生器１０には浴室外に配置した給湯器１から給湯管５を介して温水が供給されるようになっている。給湯器１には燃焼するバーナ２と、バーナ２で加熱される熱交換器３とを配置してあり、熱交換器３に一端には水道水のような上水を供給する給水管４を連結してあり、熱交換器３の他端には加熱した温水を供給する給湯管５を連結してある。ミスト発生器１０では給湯管５にミストノズル１１への給湯を開閉する給湯開閉弁１５を設けてある。ここで、給湯開閉弁１５を開くと、バーナ２が燃焼して給水管４から供給した水が熱交換器３で加熱され、加熱された温水が給湯管５を介してミストノズル１１に供給され、温水のミストがミストノズル１１から噴霧されてミストサウナ浴ができるようになっている。
【００１３】
本発明ではミストサウナする時のミストノズル１１から噴霧されるミストの温度の変動がないようにするためミスト発生器１０側で給湯管５に温度変動を緩和するバッファタンク１２を設けてある。図１、図２に示す例ではバッファタンク１２として容量タンク１２ａを挿入配置してある。この容量タンク１２ａの容量は給湯器１の給湯回路に相当する保有水量であり、例えば、３〜５リットル程度である。ミストを噴霧するとき給湯管５を流れる温水の流量は１リットル／ｍｉｎ程度である。図に示す例では容量タンク１２ａの一端側の上部の入口１８に給湯管５を接続してあり、容量タンク１２ａの他端側の下部の出口１９に給湯管５を接続してある。容量タンク１２ａの下部には排水口２０を設けてあり、この排水口２０には排水開閉弁２１を設けてある。給湯開閉弁１５を開いて給湯器１から給湯すると、給湯管５及び容量タンク１２ａを介してミストノズル１１に温水が供給されてミストノズル１１から温水のミストが噴霧される。このとき給湯器１から供給された温水は容量タンク１２ａを通るために給湯器１から供給される温水の温度が変動しても容量タンク１２ａ内の温水と混じって温度変化が緩和され、ミストノズル１１に一定温度の温水が供給されて一定温度のミストが発生し、快適にミストサウナ浴を行うことができる。ミストサウナの使い始めには排水開閉弁２１を開いて排水口２０から容量タンク１２ａの水を排水口２０からブローすることにより設定湯温への即湯性を高めることができる。
【００１４】
また図３は他の例を示す。本例の場合、バッファタンク１２として貯水タンク１２ｂが用いられており、給湯管５の途中から分岐した分岐管１３に貯水タンク１２ｂを接続してある。この貯水タンク１２ｂは開放タンクであり、貯水タンク１２ｂにオーバーフロー口２３を設けてある。この分岐管１３にはタンク用開閉弁１４を設けてあり、給湯管５のミストノズル１１の手前には給湯開閉弁１５を設けてあり、タンク用開閉弁１４や給湯開閉弁１５はタンク用開閉弁４の近傍に設けた制御部（図示せず）にて制御されるようになっている。貯水タンク１２ｂには貯水タンク１２ｂ水位を検出する水位センサー２２を設けてあり、水位センサー２２を制御部に接続してある。また給湯管５の分岐管１３より給湯器１側には温度センサー１６を設けてあり、温度センサー１６を制御部に接続してある。
【００１５】
ミストサウナの運転開始直後は、給湯開閉弁１５が閉じられていると共にタンク用開閉弁１４が開かれている。これにより給湯器１内の残水を貯水タンク１２ｂに流して貯水タンク１２ｂに許容水量溜めることができる。このとき、貯水タンク１２ｂの内の水位が水位センサー２２で検知され、貯水タンク１２ｂ内に所定の量の水が溜められる。次にタンク用開閉弁１４を閉じて給湯開閉弁１５を開くと、給湯器１から給湯管５を介してミストノズル１１に供給された温水のミストがミストノズル１１から噴霧される。給湯器１から供給される温水の温度は温度センサー１６で検出されるが、給湯器１から供給される温水の温度が高くなった場合（例えば、６０℃の温水を要求しているのに、後沸きで７０℃になった場合）は、温度センサー１６で検出した温度に応じてタンク用開閉弁１４を開放し、給湯管５を流れてきた温水と貯水タンク１２ｂから供給した水とをミキシングすることで温水温度を調整できるようになっている。これにより、ミストノズル１１に一定温度の温水が供給されて一定温度のミストが発生し、快適にミストサウナ浴を行うことができる。
【図面の簡単な説明】
【００１６】
【図１】本発明の実施の形態の一例の全体の管路図である。
【図２】同上の要部の断面図である。
【図３】同上の他の例の断面図である。
【図４】給湯器の構造の一例の管路図である。
【図５】給湯器の構造の他の例の管路図である。
【符号の説明】
【００１７】
１  給湯器
１０  ミスト発生器
１１  ミストノズル
１２  バッファタンク
１２ａ  容量タンク
１２ｂ  貯水タンク
１３  分岐管
１４  タンク用開閉弁
１５  給湯開閉弁
１６  温度センサー
【図１】
2005265311.tif 000003
【図２】
2005265311.tif 000004
【図３】
2005265311.tif 000005
【図４】
2005265311.tif 000006
【図５】
2005265311.tif 000007